(57)【要約】【課題】消去性を改善可能な筆記構造を提供する。【解決手段】筆記構造において、筆記シート１００は、セロファンフィルムからなる筆記部であって、繰り返し筆記可能なセロファン筆記部１０４を備える。基材であるベースシート１０２はセロファン筆記部１０４を支持する。ベースシート１０２はシート材である。セロファン筆記部１０４は、ベースシート１０２に貼設される。ベースシート１０２にセロファン筆記部１０４に透けて目視可能な下地表示が設けられる。【選択図】図１
2018043382.tif 000002
【特許請求の範囲】
【請求項１】
繰り返し筆記可能な筆記部であって、セロファンフィルムからなるセロファン筆記部を備えることを特徴とする筆記構造。
【請求項２】
前記セロファン筆記部を支持するシート材またはボード材を備え、
前記セロファン筆記部は、前記シート材またはボード材に貼設されることを特徴とする請求項１に記載の筆記構造。
【請求項３】
室内空間を間仕切りする壁体であって、前記セロファン筆記部を支持する壁体を備え、
前記セロファン筆記部は前記壁体に貼設されることを特徴とする請求項１に記載の筆記構造。
【請求項４】
内部に収容空間が設けられる収容器具であって、前記セロファン筆記部を支持する収容器具を備え、
前記セロファン筆記部は前記収容器具に貼設されることを特徴とする請求項１に記載の筆記構造。
【請求項５】
冊子を構成するシートであって、前記セロファン筆記部を支持するシートを備え、
前記セロファン筆記部は前記シートに貼設されることを特徴とする請求項１に記載の筆記構造。
【請求項６】
電気機器を構成する壁部であって、前記セロファン筆記部を支持する壁部を備え、
前記セロファン筆記部は前記壁部に貼設されることを特徴とする請求項１に記載の筆記構造。
【発明の詳細な説明】
【技術分野】
【０００１】
本発明は、繰り返し筆記可能な筆記面を有する筆記構造に関する。
【背景技術】
【０００２】
インキ不浸透性の筆記面を有する筆記シートが知られている。例えば特許文献１には、筆記及び消去が行われる筆記領域に、紫外線硬化型の第一の上塗り剤がコーティングされた第一のコーティング層と、紫外線硬化型の第二の上塗り剤がコーティングされた第二のコーティング層を備える筆記用紙が記載されている。
【先行技術文献】
【特許文献】
【０００３】
【特許文献１】特許第４５１９１８４号公報
【発明の概要】
【発明が解決しようとする課題】
【０００４】
発明者は従来の筆記用紙について以下の認識を得た。
特許文献１に記載の筆記用紙では、筆記面にアクリルモノマーとオリゴマーなどのいわゆるアクリル系のプラスチック材料がコーティングされている。このようなアクリル系材料からなる筆記面を有する筆記用紙では、筆記具で文字等を筆記してから長時間経過すると、イレーサで拭き取っても、筆記具のインクが筆記面に残る「消し残り」が発生することがある。このような消し残りが積み重なると、やがて筆記面が汚れたようになり、筆記した文字の判読性が低下する。また、このような筆記面を複写したプリントでは、後に読み返したときに記載内容の判別ができなくなることがある。また、筆記面が汚れることでその美観が低下し、使用者に違和感を与える懸念もある。このことから、発明者は従来の筆記用紙には消し残りを少なくして「消去性」を向上する観点で改善する余地があることを認識した。
【０００５】
また、消去性を改善するためにフッ素樹脂などをコーティングすることも考えられる。しかし、フッ素樹脂をコーティングすると、筆記具のインクの種類によっては筆記しにくくなる問題がある。また、フッ素樹脂をコーティングするために余計な手間がかかるなどコストアップしやすい問題もある。
【０００６】
また、アクリル系材料が被覆された筆記用紙は廃棄時の環境負荷が大きいことが考えられる。つまり、アクリル系材料は焼却すれば有害なガスを発生し、自然環境下に廃棄されると半永久的に残存して環境汚染の原因となり得る。このような課題は、アクリル系材料に限られずその他のプラスチック材料についても同様に生じうる。さらに、プラスチックは細かくちぎれてマイクロプラスチックとなり環境に拡散して野生生物に取り込まれる懸念もある。特に、筆記用紙を多様な用途に適用させる場合に環境負荷の軽減は喫緊の課題である。このことから、発明者は従来の筆記用紙には廃棄時の環境負荷を小さくする観点で改善する余地があることを認識した。
【０００７】
本発明の目的は、このような課題に鑑みてなされたもので、消去性を改善可能な筆記構造を提供することにある。
【課題を解決するための手段】
【０００８】
上記課題を解決するために、本発明のある態様の筆記構造は、繰り返し筆記可能な筆記部であって、セロファンフィルムからなるセロファン筆記部を備える。
【０００９】
この態様によると、セロファン筆記部を備えることで消去性を改善することができる。
【００１０】
なお、以上の構成要素の任意の組み合わせや本発明の構成要素や表現を、方法、装置、システムなどの間で相互に置換したものもまた、本発明の態様として有効である。
【発明の効果】
【００１１】
本発明によれば、消去性を改善可能な筆記構造を提供することができる。
【図面の簡単な説明】
【００１２】
【図１】第１実施形態に係る筆記シートを示す平面図である。
【図２】第１実施形態に係る筆記シートの消去性に関する実験結果を示す図である。
【図３】第２実施形態に係る掲示用シートを示す平面図である。
【図４】第３実施形態に係る筆記ボードを示す斜視図である。
【図５】第４実施形態に係る壁板を示す斜視図である。
【図６】第５実施形態に係る冊子を示す斜視図である。
【図７】第６実施形態に係る収容器具を示す斜視図である。
【図８】第７実施形態に係る電気機器を示す斜視図である。
【発明を実施するための形態】
【００１３】
以下、本発明を好適な実施形態をもとに各図面を参照しながら説明する。実施形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１４】
以下、ＸＹＺ直交座標系をもとに説明する。Ｘ軸方向は水平な左右方向に対応し、Ｙ軸方向は水平な前後方向に対応し、Ｚ軸方向は鉛直な上下方向に対応する。Ｙ軸方向およびＺ軸方向はそれぞれＸ軸方向に直交する。Ｘ軸方向は左方向あるいは右方向と、Ｙ軸方向は前方向あるいは後方向と、Ｚ軸方向は上方向あるいは下方向と表記することがある。
【００１５】
［第１実施形態］
本発明に係る第１実施形態は筆記シートである。図１は、第１実施形態に係る筆記シート１００を示す平面図である。図１は内部構造を示すために一部を破断して示す。筆記シート１００は、文字や図などを繰り返し筆記可能な筆記構造を有するシート状の材である。筆記シート１００は、セロファンフィルムからなる筆記部であって、繰り返し筆記可能なセロファン筆記部１０４を備える。特に、筆記シート１００は、基材であるベースシート１０２にセロファンフィルムからなるセロファン筆記部１０４が設けられる。筆記シート１００は、ベースシート１０２と、接合層１０６と、セロファン筆記部１０４と、を主に含む。セロファン筆記部１０４は接合層１０６を介してベースシート１０２に貼設される。
【００１６】
（ベースシート）
ベースシート１０２は、セロファン筆記部１０４を支持する基材である。特に、ベースシート１０２は表面が白色または有色のシート材である。セロファン筆記部１０４はその一方の面（裏面）がベースシート１０２に貼設される。ベースシート１０２は、セロファン筆記部１０４にある程度の剛性と、所定の背景色や下地表示を付与する。ベースシート１０２は、紙または板紙などの植物由来の素材、コルクなどの木材由来の素材、樹脂（発泡樹脂を含む）あるいは金属などの種々の素材から形成することができる。実施形態のベースシート１０２は、少なくともセロファン筆記部１０４を支持する部分は植物由来の素材である紙パルプから形成される板紙である。ベースシート１０２は、厚さ寸法が縦方向寸法（Ｙ軸方向寸法）や横方向寸法（Ｘ軸方向寸法）よりも小さい。ベースシート１０２は、様々な厚さの素材を使用することができるが、実施形態のベースシート１０２は、一例として０．４ｍｍ（３６０ｇ／平方メートル）の紙製のシートが用いられる。このようなベースシートを使用することで筆記シート１００は薄く軽量になり、人の手によって容易に変形可能な程度の可撓性を備え、広い用途に適用できる。
【００１７】
筆記シート１００の筆記面は有色であってもよい。例えば、ベースシート１０２を有色のシートから形成するか、またはベースシート１０２に有色の材料（例えば塗料）を塗布することで、その表面色がセロファン筆記部１０４を透けて筆記面に現れ、有色の筆記面を実現できる。セロファン筆記部１０４が有色に形成されることで、美観を向上することができる。消去性が良好であるため、繰り返し使用した場合でも美観の低下を抑制することができる。
【００１８】
基材であるベースシート１０２にはセロファン筆記部１０４に透けて目視可能な表示が設けられてもよい。具体的には、ベースシート１０２のセロファン筆記部１０４が形成される領域に文字や絵柄などの下地表示が設けられてもよい。セロハンフィルムは透明度が高いため、この下地表示はセロファン筆記部１０４を透けて明瞭に目視可能になる。例えば、セロファン筆記部１０４に枠などの共通する内容を下地表示として透かせることで、改めて筆記する手間を減らすことができる。この下地表示は、一例として、オフセット印刷などの印刷手段によって形成されてもよい。このような下地表示は、後述する第２〜第７実施形態にも適用できる。
【００１９】
（セロファン筆記部）
セロファン筆記部１０４は、セロファンフィルムから形成される。セロファン筆記部１０４の厚さは、ベースシート１０２の厚さより小さくされる。セロファン筆記部１０４に使用するセロファンフィルムの厚さは、一例として、１８μｍ（２６ｇ／平方メートル）〜２５μｍ（３６ｇ／平方メートル）であってもよい。セロファン筆記部１０４の筆記面には所定の凹凸が設けられてもよい。
【００２０】
セロファン筆記部１０４を構成するセロファンフィルムは、一例として、パルプを水酸化ナトリウムなどのアルカリと二硫化炭素で溶かして生成したビスコースを、スリットに通して薄く成型し、硫酸などの酸によって中和してセルロースに戻すことで製造することができる。このように製造したセロファンフィルムは再生セルロースを主成分とするフィルムである。
【００２１】
セロファン筆記部１０４は、透明、半透明または不透明であってもよい。セロファン筆記部１０４は、無色または有色であってもよい。実施形態のセロファン筆記部１０４は、実質的に無色で透明または半透明に形成される。有色のセロファン筆記部は、セロファンフィルムに有色の材料を混ぜ込む方法や、有色の材料（例えば塗料）を塗布することによって実現できる。
【００２２】
（接合層）
接合層１０６は、ベースシート１０２にセロファン筆記部１０４を密着させるための接合手段である。接合層１０６は、ベースシート１０２にセロファン筆記部１０４を密着させうる手段であれば構成に特別な制限はない。接合層１０６は、例えば水性接着剤を使用することができる。この接着剤は、代表例として、主成分としてエチレン−酢酸ビニル共重合タイプの接着剤を含んでもよい。接合層１０６の厚さは、セロファン筆記部１０４の厚さより小さくされる。接合層１０６の厚さは、一例として、１μｍ〜５μｍであってもよい。セロファン筆記部１０４は、ベースシート１０２に塗布された接合層１０６に重ねられた状態にて、加熱しながら厚さ方向に圧力を加えることで、ベースシート１０２に固着されてもよい。
【００２３】
次に、このように構成された筆記シート１００の消去性について説明する。図２は、筆記シート１００の消去性に関する実験結果を示す図である。図２は、筆記面を構成する素材とその消去性を比較した結果を示す。この実験では、筆記シート１００および別素材からなる筆記面を有する比較例１〜比較例６をサンプルとしている。比較例１はアクリルモノマーを使用した塗膜からなる筆記面を有する。比較例２はポリフッ化ビニリデンからなる筆記面を有する。比較例３はＰＶＡ（polyvinyl alcohol）コートＯＰＰ（oriented PolyPropylene）フィルムからなる筆記面を有する。比較例４はＰＭＰ（polymethylpentene）フィルムからなる筆記面を有する。比較例５はＰＢＴ（Polybutylene terephthalate）フィルムからなる筆記面を有する。比較例６はニトロセルロースフィルムからなる筆記面を有する。
【００２４】
実験方法は、それぞれ種類が異なる１５種類のマーカ（筆記具）によって形成した表記について、時間経過と共にその消去性を検査した。経過時間は、当日、１日後、３日後、１週間後、２週間後、３週間後、４週間後とした。評価は、イレーサを一定荷重で筆記面に押し付けて１往復させ、マーカ表記の消去状況を数値表現にて記録した。評価は、１５種類すべてのマーカ表記が消去された場合を１とし、１〜４種類のマーカ表記が消し残った場合を２とし、５〜１０種類のマーカ表記が消し残った場合を３とし、５〜１０種類のマーカ表記が消し残った場合で特に汚れが目立つ場合を４とし、１１〜１４種類のマーカ表記が消し残った場合を５とし、１５種類すべてのマーカ表記が消し残った場合を６とした。つまり、評価１は最も消去性が優れ、評価６は最も消去性が劣る。
【００２５】
実験の結果、比較例１〜６はいずれも、３日後には１種類以上のマーカ表記で消し残りが見られ、３週間後には５〜１０種類のマーカ表記で消し残りが見られた。これに対して、筆記シート１００では、当日から４週間後までのいずれの評価においても、種類が異なる１５種類すべてのマーカ表記で消し残りが見られず、消去性は良好であった。特に、比較例では４週間後にはマーカ表記の消し残りが顕著に増えるのに対して、筆記シート１００では少なくともこの期間内では消し残りの顕著な増加は見られなかった。
【００２６】
次に、筆記シート１００について消去性が優れる理由について説明する。マーカには、アルコールなどの溶剤に色素とそのバインダーとなる樹脂と剥離剤とを溶かしたインクが用いられる。したがって、マーカ表記はこのインクから溶剤が揮発して残った色素の被膜である。この被膜は剥離剤によって筆記面に非密着な状態で付着しており、イレーサで擦ることで容易に剥がれる。しかし、時間の経過に連れて、この色素の一部が筆記面の素材の分子間に染み込むことで消し残りが生じるものと考えられる。また染みこんだ色素の一部は素材分子と結合して残ることも考えられる。
【００２７】
セロファン筆記部を構成するセロファンフィルムは、分子の密度が高く分子間の隙間が小さいことで色素が分子間に染み込み難いと考えられる。また、セロファンフィルムの表面は自由エネルギーが低く安定した状態にあり分子結合を生じ難いと考えられる。この結果、筆記面に色素が非密着な状態で付着する状態を維持することで良好な消去性を奏するものと考えられる。
【００２８】
次に、このように構成された筆記シート１００の適用例について説明する。
筆記シート１００は、所定の大きさに加工して画用紙、ＰＯＰ広告用紙あるいはプライスカードに適用できる。消去性が良好であるため、繰り返し使用してもインクの消し残りが少なく、耐久性を改善することができる。同様に、筆記シート１００は、机、棚、パーテーションなどの家具に貼設されてもよい。筆記シート１００は筆記シート付き家具に適用できる。筆記シート１００は、メジャー・定規、デスクマット、マウスパッドなどの文具に貼設されてもよい。筆記シート１００は筆記シート付き文具に適用できる。筆記シート１００は、団扇や扇子などに貼設されてもよい。筆記シート１００は筆記シート付きの団扇や扇子に適用できる。筆記シート１００は、付箋、インデックス、クリップ、背表紙に適用できる。これらは繰り返しメモを筆記することができる。なお、これらに適用する場合に、ベースシート１０２を備えることは必須ではなく、セロファン筆記部１０４はこれらの適用例に直接貼設されてもよい。
【００２９】
次に、このように構成された筆記シート１００の作用効果を説明する。
【００３０】
第１実施形態の筆記シート１００では、繰り返し筆記可能な筆記部であって、セロファンフィルムからなるセロファン筆記部１０４を備えるから、消去性を改善して繰り返し使用することによる美観の低下を抑制することができる。また、セロファン筆記部１０４の生分解性を有しており廃棄時の環境負荷を小さくすることができる。つまり、良好な消去性と生分解性とを両立しうる筆記媒体を提供できる。
【００３１】
第１実施形態の筆記シート１００では、セロファン筆記部１０４を支持する基材であるベースシート１０２を備えるから、セロファン筆記部１０４に所望の大きさの剛性を付与することができる。
【００３２】
第１実施形態の筆記シート１００では、セロファン筆記部１０４はシート材であるベースシート１０２に貼設されるから、筆記時にセロファン筆記部１０４がベースシート１０２からずれことがなく、筆記シート１００の取り扱いが容易になる。また、軽量化に有利である。また、セロファン筆記部１０４をベースシート１０２に貼り付けることで製造できるから、特許文献１に記載の筆記用紙のように複数の上塗り剤を重ねてコーティングする場合に比べて、製造の手間を少なくすることができる。
【００３３】
第１実施形態の筆記シート１００では、基材であるベースシート１０２にセロファン筆記部１０４に透けて目視可能な下地表示が設けられるから、セロファン筆記部１０４にその下地表示を透かして表示できる。例えば、枠などの共通する内容を下地表示として透かせることで、この内容を繰り返し筆記する手間を減らすことができる。
【００３４】
第１実施形態の筆記シート１００では、基材であるベースシート１０２は、少なくともセロファン筆記部１０４を支持する部分が植物由来の素材である紙パルプから形成されるから、生分解性を具備することが可能になる。筆記シート１００が生分解性を具備することで、その廃棄時の環境負荷を小さくすることができる。
【００３５】
［第２実施形態］
本発明に係る第２実施形態は掲示用シートである。図３は、第２実施形態に係る掲示用シート１１０を示す平面図である。図３は内部構造を示すために一部を破断して示す。掲示用シート１１０は、一例として、カレンダーやポスターに適用することができる。掲示用シート１１０は、その所定の領域に繰り返し筆記可能な筆記面が形成される。この筆記面には、例えば連絡事項などの情報を一時的に筆記することができ、使用後は消去して繰り返し筆記することができる。
【００３６】
掲示用シート１１０は、基材であるベースシート１１１の筆記領域１１１ａにセロファンフィルムからなるセロファン筆記部１０４が設けられる。掲示用シート１１０は、ベースシート１１１と、接合層１０６と、セロファン筆記部１０４と、を主に含む。セロファン筆記部１０４は接合層１０６を介してベースシート１１１に貼設される。ベースシート１１１は植物由来の紙シートから形成されてもよい。このように構成された掲示用シート１１０は生分解性が良好であるため廃棄時の環境負荷を小さくすることができる。接合層１０６とセロファン筆記部１０４は第１実施形態の筆記シート１００と同様に構成される。セロファン筆記部１０４の消去性が良好であるため、繰り返して使用しても見栄えの低下が少なく、筆記シート付き掲示用シートとして繰り返し使用可能な回数を増やすことができる。なお、セロファン筆記部１０４はベースシート１１１に直接貼り付けられてもよく、セロファン筆記部１０４が貼り付けられたシートをベースシート１１１に積層してもよい。掲示用シート１１０は、セロファン筆記部１０４を備えることで筆記シート１００と同様の良好な消去性を具備する。
【００３７】
このように構成された掲示用シート１１０は、筆記シート１００と共通する構成を備えることで、筆記シート１００と同様の作用効果を生じうる。
【００３８】
［第３実施形態］
本発明に係る第３実施形態は筆記ボードである。図４は、第３実施形態に係る筆記ボード１２０を示す斜視図である。図４は内部構造を示すために一部を破断して示す。筆記ボード１２０は文字や図などを繰り返し筆記可能な板状の材である。筆記ボード１２０は繰り返し筆記可能なホワイトボードに適用できる。筆記ボード１２０は、基材であるボード１２１の筆記領域１２１ａにセロファンフィルムからなるセロファン筆記部１０４が設けられる。筆記ボード１２０は、基材であるボード１２１と、セロファン筆記部１０４と、接合層１０６と、を主に含む。セロファン筆記部１０４は、接合層１０６を介してボード１２１に貼設される。セロファン筆記部１０４の筆記面にセロファンフィルムが露出している。筆記ボード１２０の周縁には必要に応じて枠が設けられてもよい。
【００３９】
ボード１２１は、表面が白色または有色の板状の材であり、セロファン筆記部１０４の一方の面である裏面を支持する。ボード１２１は、厚さ寸法（Ｙ軸方向寸法）が縦方向寸法（Ｚ軸方向寸法）や横方向寸法（Ｘ軸方向寸法）よりも小さい。ボード１２１は比較的大きな剛性を有する。ボード１２１は、図４に示すように、縦方向の下端を支持したときに上端が自重によって湾曲などの変形をしない程度の剛性を有する。ボード１２１は、板紙、段ボール紙、コルク板、木製の板素材、樹脂（発泡樹脂を含む）あるいは金属などの様々な素材から形成することができる。第２の実施形態では、ボード１２１は、一例として３ｍｍ（３０００ｇ／平方メートル）の紙パルプ由来の板紙が用いられる。ボード１２１は複数のシート材の積層構造を有してもよい。接合層１０６とセロファン筆記部１０４は第１実施形態の筆記シート１００と同様に構成される。
【００４０】
筆記ボード１２０は、セロファン筆記部１０４を備えることで筆記シート１００と同様の良好な消去性を具備する。セロファン筆記部１０４の消去性が良好であるため、繰り返して使用しても、文字の判読性や見栄えの低下が少なく、筆記ボード１２０をホワイトボードなどに用いる場合に繰り返し使用可能な回数を増やすことができる。
【００４１】
このように構成された筆記ボード１２０は、筆記シート１００と共通する構成を備えることで、筆記シート１００と同様の作用効果を生じうる。
【００４２】
［第４実施形態］
本発明に係る第４実施形態は室内空間を間仕切りする壁板である。図５は、第４実施形態に係る壁板１１３を示す斜視図である。図５は内部構造を示すために一部を破断して示す。壁板１１３は、一例として、展示会のブースを区画する間仕切り壁などの壁体の一部または全部に適用できる。壁板１１３は、その所定の領域に繰り返し筆記可能な筆記面が形成される。この筆記面には、例えば連絡事項などのブースに関する情報を一時的に筆記することができ、使用後は消去して繰り返し筆記することができる。壁板１１３は、基材であるベースボード１１８の筆記領域１１８ａにセロファンフィルムからなるセロファン筆記部１０４が設けられる。
【００４３】
壁板１１３は、ベースボード１１８と、接合層１０６と、セロファン筆記部１０４と、を主に含む。ベースボード１１８は下地表示が印刷された段ボール板を含んでもよい。ベースボード１１８が植物由来の段ボール板である場合は、生分解性が良好であるため廃棄時の環境負荷を小さくすることができる。接合層１０６とセロファン筆記部１０４は第１実施形態の筆記シート１００と同様に構成される。壁板１１３は、セロファン筆記部１０４を備えることで筆記シート１００と同様の良好な消去性を具備する。セロファン筆記部１０４の消去性が良好であるため、繰り返して使用しても見栄えの低下が少なく、筆記シート付き壁板として繰り返し使用可能な回数を増やすことができる。セロファン筆記部１０４はベースボード１１８に直接貼り付けられてもよく、セロファン筆記部１０４が貼り付けられたシートをベースボード１１８に積層してもよい。このように構成した壁板１１３は繰り返し使用可能で、紙資源の節約に貢献しうる。
【００４４】
このように構成された壁板１１３は、筆記シート１００と共通する構成を備えることで、筆記シート１００と同様の作用効果を生じうる。
【００４５】
［第５実施形態］
本発明に係る第５実施形態は冊子である。図６は、第５実施形態に係る冊子１３０の斜視図である。図６は内部構造を示すために一部を破断して示す。冊子１３０は、例えば手帳、ノートあるいは書籍などであってもよい。冊子１３０は、絵本などの玩具や教材、携帯タイプのホワイトボードなどの文房具にも適用できる。この実施形態の冊子１３０はノートである。冊子１３０は綴じられて冊子を構成する複数のシート１３２を含む。冊子１３０は、基材である冊子１３０を構成する複数のシート１３２の少なくとも一つの筆記領域１３２ａにセロファンフィルムからなるセロファン筆記部１０４が設けられる。冊子１３０は、複数のシート１３２と、セロファン筆記部１０４と、接合層１０６と、を主に含む。セロファン筆記部１０４は、接合層１０６を介して複数のシート１３２の少なくとも一つの全部または一部に貼設される。セロファン筆記部１０４の筆記面にセロファンフィルムが露出している。
【００４６】
複数のシート１３２は表面が白色または有色のシート材であり、セロファン筆記部１０４の一方の面（裏面）を支持する。複数のシート１３２は、セロファン筆記部１０４にある程度の剛性と、所定の背景色や下地表示を付与する。複数のシート１３２は、洋紙や和紙などの植物由来の素材、コルクなどの木材由来の素材、樹脂（発泡樹脂を含む）あるいは金属などの種々の素材から形成することができる。実施形態の複数のシート１３２は、主成分として紙パルプを含むシート状の材から形成される紙シートである。接合層１０６とセロファン筆記部１０４は第１実施形態の筆記シート１００と同様に構成される。セロファン筆記部１０４は接合層１０６によって基材であるシート１３２に固着される。セロファン筆記部１０４はシート１３２の全部または一部の領域に設けられる。シート１３２はベースシート１０２と同様に構成することができる。
【００４７】
第５実施形態の冊子１３０では、セロファン筆記部１０４に未整理のメモ事項を一時的に筆記することができる。セロファン筆記部１０４は、このメモ事項を整理して別領域に転記した後は、消去して繰り返し使用することができる。冊子１３０は、セロファン筆記部１０４を備えることで筆記シート１００と同様の良好な消去性を具備する。冊子１３０のセロファン筆記部１０４は消去性が良好であるため、繰り返して使用しても汚れを少なくすることができる。例えば、セロファン筆記部１０４に予定を筆記した後、予定が変更になった場合でも、綺麗に消して新しい予定を筆記する事ができる。
【００４８】
このように構成された冊子１３０は、筆記シート１００と共通する構成を備えることで、筆記シート１００と同様の作用効果を生じうる。
【００４９】
［第６実施形態］
本発明に係る第６実施形態は内部に収容空間が設けられる収容器具である。図７は、第６実施形態に係る収容器具１１４を示す斜視図である。図７は内部構造を示すために一部を破断して示す。収容器具１１４は、一例として、コンテナ、詰め替え用の筐体、間仕切り箱などに適用することができる。収容器具１１４は複数のボード１１５によって画定された箱形状を有する。収容器具１１４は、基材であるボード１１５の筆記領域１１５ａにセロファンフィルムからなるセロファン筆記部１０４が設けられる。収容器具１１４は、複数のボード１１５と、接合層１０６と、セロファン筆記部１０４と、を主に含む。複数のボード１１５それぞれは段ボール、板紙、樹脂板あるいは金属板から形成されてもよい。
【００５０】
接合層１０６とセロファン筆記部１０４は第１実施形態の筆記シート１００と同様に構成される。なお、セロファン筆記部１０４はボード１１５に直接貼り付けられてもよく、セロファン筆記部１０４が貼り付けられたシートをボード１１５に積層してもよい。このように構成した収容器具１１４は繰り返し使用可能で、資源の節約に貢献しうる。セロファン筆記部１０４には収容器具の収納物に関する名称、数量その他の情報など一時的に筆記することができ、使用後は消去して繰り返し筆記することができる。収容器具１１４は、セロファン筆記部１０４を備えることで筆記シート１００と同様の良好な消去性を具備する。セロファン筆記部１０４の消去性が良好であるため、繰り返して使用しても、文字の判読性や見栄えの低下が少なく、筆記シート付き収容器具（コンテナ）として用いる場合に繰り返し使用可能な回数を増やすことができる。
【００５１】
このように構成された収容器具１１４は、筆記シート１００と共通する構成を備えることで、筆記シート１００と同様の作用効果を生じうる。
【００５２】
［第７実施形態］
本発明に係る第７実施形態は家電機器などの筆記シート付きの機器である。図８は、第７実施形態に係る電気機器１１６を示す斜視図である。図８は内部構造を示すために一部を破断して示す。電気機器１１６は、一例として、冷蔵庫、洗濯機、電子レンジ、パーソナルコンピュータなどに適用することができる。図８は、筆記シート付き機器の一例として電気機器１１６が電気冷蔵庫である例を示す。電気機器１１６は、基材である電気機器１１６を構成する壁部１１７の少なくとも一つの筆記領域１１７ａにセロファンフィルムからなるセロファン筆記部１０４が設けられる。セロファン筆記部１０４には、電気機器１１６に内蔵した内蔵物に関する日付や数量の情報などを一時的にメモすることができる。この情報が変化したら、消去して繰り返し筆記することができる。また、セロファン筆記部１０４には、料理のレシピの一部または全部を一時的にメモすることができる。
【００５３】
電気機器１１６は、セロファン筆記部１０４を備えることで筆記シート１００と同様の良好な消去性を具備する。セロファン筆記部１０４の消去性が良好であるため、繰り返して使用しても、文字の判読性や見栄えの低下が少なく、筆記シート付きの機器として用いる場合に、繰り返して使用しても見栄えの低下を小さくすることができる。電気機器１１６は、基材として電気機器１１６を構成する壁部１１７と、接合層１０６と、セロファン筆記部１０４と、を含む。壁部１１７は、例えば金属シートから形成される。接合層１０６とセロファン筆記部１０４は第１実施形態の筆記シート１００と同様に構成される。なお、セロファン筆記部１０４は壁部１１７に直接貼り付けられてもよく、セロファン筆記部１０４が貼り付けられたシートを壁部１１７に積層してもよい。
【００５４】
このように構成された電気機器１１６は、筆記シート１００と共通する構成を備えることで、筆記シート１００と同様の作用効果を生じうる。
【００５５】
以上、本発明をいくつかの実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００５６】
以下、変形例について説明する。変形例の図面および説明では、実施形態と同一または同等の構成要素、部材には、同一の符号を付する。実施形態と重複する説明を適宜省略し、実施形態と相違する構成について重点的に説明する。
【００５７】
（変形例１）
第１〜第７実施形態では、セロファン筆記部が基材の一方の面に貼設される例について説明したが、これに限定されない。セロファン筆記部は基材の両面に貼設されてもよい。この場合、両面を筆記面として使用可能で、筆記可能範囲を拡大することができる。また、基材の両面にフィルムが積層されるから筆記シートの反りを緩和することができる。
【００５８】
（変形例２）
第１〜第７実施形態では、セロファン筆記部１０４が平坦である場合について説明したが、これに限定されない。セロファン筆記部は基材の表面形状に沿って曲面形状を有してもよい。
【００５９】
（変形例３）
第６実施形態では、収容器具１１４が箱形状を有する例について説明したが、これに限定されない。セロファン筆記部１０４を具備する収容器具１１４は種々の形状であってもよく、例えば、筒状、袋状あるいは封筒状であってもよい。
【００６０】
（変形例４）
第１〜第７の実施形態では、セロファン筆記部１０４が基材に貼設される例について説明したが、これに限定されない。セロファン筆記部１０４は基材から浮いた状態で支持されてもよい。例えば、基材の表面をセロファン筆記部１０４が相対移動可能に支持される構成であってもよい。この場合、筆記具の筆圧によってセロファン筆記部１０４が基材に押し付けられ、セロファン筆記部１０４に剛性と下地表示を付与するようにしてもよい。なお、セロファン筆記部１０４自身が所望の剛性を備える場合には、基材を備えない構成も可能である。
【００６１】
説明に使用した図面では、部材の関係を明瞭にするために一部の部材にハッチングを施しているが、当該ハッチングはこれらの部材の素材や材質を制限するものではない。
【符号の説明】
【００６２】
１００・・筆記シート、  １０２・・ベースシート、  １０４・・セロファン筆記部、  １０６・・接合層、  １１０・・掲示用シート、  １１１・・ベースシート、  １１３・・壁板、  １１４・・収容器具、  １１５・・ボード、  １１６・・電気機器、  １１７・・壁部、  １１８・・ベースボード、  １２０・・筆記ボード、  １２２・・ボード、  １３０・・冊子、  １３２・・シート。
【図１】
2018043382.tif 000003
【図２】
2018043382.tif 000004
【図３】
2018043382.tif 000005
【図４】
2018043382.tif 000006
【図５】
2018043382.tif 000007
【図６】
2018043382.tif 000008
【図７】
2018043382.tif 000009
【図８】
2018043382.tif 000010